(57)【要約】【課題】本発明は、アンテナ共用器に関して、高周波的なアイソレーション特性を向上させることを目的とするものである。【解決手段】特にアンテナ共用器を形成する圧電基板２上に設けられるシールド線路１２の一端をグランド接続し他端を開放端とするとともに、この開放端を送信端子７と受信端子８との間に形成される不要結合経路１３に対して容量結合１４させた構造としたものであり、アイソレーション特性を向上させることができる。【選択図】図１
2006311041.tif 000002
【特許請求の範囲】
【請求項１】
圧電基板と、この圧電基板を収納するパッケージと、このパッケージに設けられた送信端子、受信端子およびアンテナ端子と、前記圧電基板上に形成され前記送信端子と前記アンテナ端子との間に配置された送信側弾性表面波フィルタ回路と、前記圧電基板上に形成され前記アンテナ端子と前記受信端子との間に配置された受信側弾性表面波フィルタ回路と、前記圧電基板上において前記送信側弾性表面波フィルタ回路を設けた領域と前記受信側弾性表面波フィルタ回路を設けた領域の間に設けられたシールド線路とを備え、前記シールド線路の一端をグランド接続し他端を開放端とするとともに、この開放端を前記送信端子と前記受信端子との間に形成される不要結合経路に対して容量結合させたことを特徴とするアンテナ共用器。
【発明の詳細な説明】
【技術分野】
【０００１】
本発明は各種通信機器に設けられるアンテナ共用器に関する。
【背景技術】
【０００２】
この種のアンテナ共用器としては、圧電基板上に形成された櫛形電極を組合せ異なる弾性表面波フィルタ回路を一枚の圧電基板上に配置しアンテナ共用器を形成することが知られている。
【０００３】
そしてこのようなアンテナ共振器においては個々の弾性表面波フィルタ回路の電気特性が有効に働くよう弾性表面波フィルタ回路間のアイソレーション特性が厳しく要求されるようになり、これに対応すべく圧電基板上の送信側と受信側の各弾性表面波共振器のレイアウトの最適化を行ったり、圧電基板上の送信側弾性表面波フィルタ回路と受信側弾性表面波フィルタ回路の間に溝を設けることによってアイソレーション特性を向上させるなどの施策が行われていた。
【０００４】
なお、この先行技術文献情報としては特許文献１などが知られている。
【特許文献１】特開２００２−３３００５７号公報
【発明の開示】
【発明が解決しようとする課題】
【０００５】
しかしながら、弾性表面波フィルタ回路からなるアンテナ共用器のアイソレーション特性を改善するにあたっては、圧電基板上で弾性表面波を介して結合する弾性波的結合と、送受信信号が互いに干渉する高周波的結合とが存在し、先に述べた圧電基板上に溝を設ける手法においては高周波的な結合までを抑制することができず、十分なアイソレーション特性を得ることが困難なものとなっていた。
【０００６】
そこで、本発明はこのような問題を解決しアンテナ共用器のアイソレーション特性を向上させることを目的とする。
【課題を解決するための手段】
【０００７】
この目的を達成するために本発明は、アンテナ共用器を形成するにあたり圧電基板上にシールド線路を設け、その一端をグランド接続し他端を開放端とするとともに、この開放端を送信端子と受信端子との間に形成される不要結合経路に対して容量結合させた構造としたのである。
【発明の効果】
【０００８】
この構成によりアンテナ共用器のアイソレーション特性を向上させることができるのである。
【発明を実施するための最良の形態】
【０００９】
以下、本発明の一実施形態について図を用いて説明する。
【００１０】
図１は携帯電話などの通信機器のＲＦブロックを構成するために用いられ送受信信号を分離するアンテナ共用器を示す上面図であり、基本的な構造としてはセラミック基板からなるパッケージ１に弾性波表面フィルタを構成する圧電基板２を収納した構造であり、この圧電基板２は櫛形電極を用いたトランスデューサ３を適宜組み合わせることで、受信側弾性表面波フィルタ回路４と送信側弾性表面波フィルタ回路５を形成し、各トランスデューサ３の接続には配線パターン６が用いられている。
【００１１】
また、パッケージ１には送信側弾性表面波フィルタ回路５や受信側弾性表面波フィルタ回路４が接続される送信端子７、受信端子８、アンテナ端子９およびグランド端子１０，１０ａが設けられており、これらの端子と送信側弾性表面波フィルタ回路５あるいは受信側弾性表面波フィルタ回路４との接続は適宜ワイヤボンディング１１により行われている。
【００１２】
そして、このアンテナ共用器においては送信側弾性表面波フィルタ回路５が設けられた領域と受信側弾性表面波フィルタ回路４が設けられた領域との間にそれらの高周波的結合を抑制するためのシールド線路１２が設けられている。
【００１３】
そして、このシールド線路１２は一端がワイヤボンディング１１を介してパッケージ１に設けられたグランド端子１０ａに接続され他端が開放端となった構成としており、この開放端を図２に示されるように、送信端子７と受信端子８との間に生じる容量結合などの不要結合経路１３に対して容量結合１４させた構造としている。
【００１４】
すなわち、この構造によりアンテナ端子９と送信端子７間に配置された送信側弾性表面波フィルタ回路５と、アンテナ端子９と受信端子８間に配置された受信側弾性波表面フィルタ回路４とによりアンテナ共用器の送信時の通過特性や受信時の通過特性である基本電気特性を形成したものに加え、一端がグランド接続されたシールド線路１２が高周波的にインダクタンス成分を形成し、このインダクタンス成分とシールド線路１２の開放端による容量成分１４との直列共振回路を形成し、この直列共振回路が送信端子７と受信端子８間の不要結合経路に接続されるため、送受信端子７，８間のアイソレーション特性に減衰極を形成することができアイソレーション特性が向上するのである。
【００１５】
具体的には、図３に示したように破線で示す従来のアンテナ共用器のアイソレーション特性に比べ、実線で示す該一実施形態のシールド電極１２と容量結合１４による直列共振回路を備えたアンテナ共用器のアイソレーション特性が向上していることが判る。
【００１６】
なお、このアイソレーション特性を向上させる直列共振回路は、送信端子７と受信端子８間の高周波的な結合に対してのみ影響を与えるものであり、送信端子７とアンテナ端子９あるいはアンテナ端子９と受信端子８間のトランスデューサ３を用いた弾性表面波特性に対して影響を与えるものではない。
【００１７】
また、アイソレーション特性を向上させる直列共振回路は先に述べたようにシールド線路１２のインダクタンス成分と開放端の容量成分１４の直列共振により形成されるものであるから、シールド線路１２の線路幅や線路長を調節することや、開放端における容量結合１４結合先となる配線パターン６などの電極との距離や対向面積を調節することで、この直列共振回路の減衰極の位置を調節することができる。
【００１８】
なお、アンテナ共振器における弾性表面波的なアイソレーション特性の改善は、従来行われていた圧電基板上に溝を設けるなどの対策を用いれば良く、先に述べた高周波的アイソレーション対策と併用することにより、さらにアイソレーション特性を向上させることができるのである。
【産業上の利用可能性】
【００１９】
本発明にかかるアンテナ共用器は、高周波的なアイソレーション特性を高めることができるという効果を有し、特に携帯電話のように小型かつ高性能化が求められる移動体通信用途として有用である。
【図面の簡単な説明】
【００２０】
【図１】本発明の一実施形態におけるアンテナ共用器の上面図
【図２】同アンテナ共用器の等価回路図
【図３】同アンテナ共用器のアイソレーション特性を示す周波数特性図
【符号の説明】
【００２１】
１  パッケージ
２  圧電基板
４  受信側弾性表面波フィルタ回路
５  送信側弾性表面波フィルタ回路
７  送信端子
８  受信端子
９  アンテナ端子
１２  シールド線路
１３  不要結合経路
１４  容量結合
【図１】
2006311041.tif 000003
【図２】
2006311041.tif 000004
【図３】
2006311041.tif 000005